(57)【特許請求の範囲】
【請求項１】
燃料を供給する燃料供給手段から該燃料を噴射するノズルまでの燃料噴射系内に付着した付着物を除去するために該燃料中に添加される洗浄剤であって、
ジエチルベンジルアミン、トリベンジルアミン、１−フェニルピペラジンから選択される成分を１以上含有する、洗浄剤。
【請求項２】
前記燃料に対して、０．１〜３０体積％添加される、請求項１に記載の洗浄剤。
【請求項３】
前記洗浄剤に含有される１以上の前記成分は、該洗浄剤に含まれる洗浄性を有する成分のうち、少なくとも７０体積％含有される、請求項１または２に記載の洗浄剤。
【発明の詳細な説明】
【技術分野】
【０００１】
本発明は、燃料噴射系に付着した付着物を洗浄して除去するために、燃料に添加して使用される洗浄剤に関する。
【背景技術】
【０００２】
トラック、建設機械、漁船、発電機等に搭載されているディーゼルエンジンは、往復動を行うピストンと、ピストンの周囲および上部を覆うシリンダとを含んで構成され、ピストンとシリンダとにより形成される燃焼室（燃料を燃焼させる部屋）内に空気が供給され、ピストンによってその空気を圧縮し、圧縮されて高温となった空気に燃料を噴射させて自己着火させる。
【０００３】
ディーゼルエンジンにおいては、燃焼室内に燃料を高圧で噴射させるため、噴射ポンプが必要不可欠である。この噴射ポンプの種類には、列型噴射ポンプ、分配型噴射ポンプ、独立型噴射ポンプがあり、燃料噴射方式には、これらの機械式噴射ポンプを用いて燃料を噴射させる方式がある。近年、これらの機械式噴射ポンプを用いる方式に代えて、電子制御の噴射を行うユニットインジェクター式やコモンレール式が数多く採用され、特にコモンレール式が主流となっている。
【０００４】
ユニットインジェクター式は、インジェクタと呼ばれる燃料噴射ノズルと燃料を加圧するプランジャとを一体化した燃料噴射方式で、プランジャとノズルとの間に燃料供給パイプが存在しないため、プランジャによる高圧の燃料噴射を実現できる。コモンレール式は、コモンレールと呼ばれる細長いパイプに高圧の燃料を蓄え、そのパイプに繋がる各インジェクタへ均一に供給する燃料噴射方式である。このコモンレール式では、燃料の加圧をサプライポンプで行い、インジェクタを用いて燃焼室内に確実に噴射する。なお、噴射制御は、コントロールユニットにより行われる。
【０００５】
サプライポンプ内では、燃料を圧縮する。しかし、その燃料中にエアーが何らかの要因で混在すると、そのエアーが断熱圧縮されることによりエアー周辺が局所的に高温（局所高温）となり、未燃焼カーボンが発生しやすくなり、また、その高温化に伴い各種添加剤が析出してインジェクタ内部に付着・堆積する。そのほか、燃料中には、鉄系化合物、有機酸およびその塩、ごみ等の異物も含まれており、これらの異物も付着・堆積する。これらは、デポジットと呼ばれ、多量に付着・堆積するとエンジン性能の低下や不均一な噴射を生じさせる。
【０００６】
このデポジットの付着・堆積は、冬期に燃料中に添加される低温流動性向上剤や潤滑性向上剤等およびそれらの劣化生成物により析出すると考えられている。これらが添加された燃料は、例えば、コモンレールシステムの採用により高圧条件下で燃料供給ポンプからインジェクタで噴射される間に、サプライポンプにより発生した気泡や外部から侵入したエアーがサプライポンプ内で局所高温化され、これに伴い燃料中の各種添加剤も高温化することで熱分解し、新たなデポジットが生成されることが明らかになってきている（例えば、特許文献１参照）。
【０００７】
このデポジットの除去は、インジェクタを分解して掃除することにより完全に除去することができるが、これでは時間や手間がかかる。そこで、燃料タンク内に添加する洗浄剤が、市販されており、その洗浄剤を燃料に添加し、走行運転中に洗浄、除去することができる。デポジットの洗浄・除去に効果がある洗浄剤の成分として、ポリブテンアミン、ポリエーテルアミン、Ｎ−アルキルーピロリドン等が知られ、現在使用されている。
【０００８】
そのほか、芳香族系溶剤５〜５０重量％、グリコールエーテル及び／またはグリコールエーテルアセテート系溶剤５〜２５重量％、脂肪酸５〜２５重量％、非イオン界面活性剤５〜２５重量％、アンモニア水および／またはアミン１〜１５重量％、および水１０〜４０重量％を含むディーゼルエンジン吸気系洗浄用エアゾール製品が提案されている（特許文献２参照）。芳香族系溶剤としては、エチルベンゼン、アミルベンゼン、１−メチルナフタレン等が挙げられている。アミンとしてはポリオキシエチレンアルキルアミンが挙げられている。
【０００９】
また、水溶性アミン化合物１０〜４０重量％、ベンジルアルコール１０〜３０重量％、脂肪族アルコール残基を有する水溶性有機溶剤２０〜６０重量％、弱アルカリ性水溶液１０〜４０重量％とからなる金属部材洗浄用の洗浄剤も提案されている（特許文献３参照）。水溶性アミン化合物としては、ジエチルアミン、モノエタノールアミン等が挙げられている。
【００１０】
５０〜８０質量％のポリオキシアルキレンアルキルアミン、５〜２０質量％のグリコールモノアルキルエーテル、５〜１５質量％のグリコールジアルキルエーテル、５〜１５質量％のヘテロ環状化合物、１〜５質量％の水からなるディーゼル燃料添加剤組成物も提案されている（特許文献４参照）。
【先行技術文献】
【特許文献】
【００１１】
【特許文献１】特開２００６−２５７９３４号公報
【特許文献２】特開２００２−１２９１９８号公報
【特許文献３】特開２００６−１９３６５３号公報
【特許文献４】特開２０１０−１０６１７３号公報
【発明の概要】
【発明が解決しようとする課題】
【００１２】
従来から使用されているポリブテンアミンやポリアルケニルコハク酸イミドは、高分子成分であり、耐熱性が良好で、それ自体がデポジットになるという問題があった。ポリエーテルアミンやＮ−アルキルーピロリドンは、洗浄性を有するものの、それほど高い洗浄性を有していない。このため、目視にてデポジットがほとんど確認できなくなるまで洗浄するには、上記特許文献１に記載されているように、燃料に対して数１０重量％といったように多量に添加しなければならない。このような多量の添加は、走行性能に支障を来し、また、これらがいずれもアミンで窒素を含有するため、燃焼排ガス中のＮＯｘが増加するという問題があった。
【００１３】
上記特許文献２〜４の洗浄剤も、挙げられているアミンやエーテルは、その成分単独では高い洗浄性を有しておらず、目視にてデポジットがほとんど確認できなくなるまで洗浄するには、多量に添加するか、長時間の洗浄を行う必要がある。したがって、デポジットが多少残ることを考慮して使用しているのが現状である。これでは次第にデポジットが堆積していき、エンジン性能の低下や不均一な噴射を生じさせることになる。
【００１４】
また、燃料噴射系部品には、サプライポンプ、インジェクタ、燃料フィルタにゴム製のＯリングや樹脂製品が使用されている。このため、燃料に添加された洗浄剤がこのＯリングや樹脂製品と接触することになる。これまでに洗浄剤として使用されているポリブテンアミン、ポリエーテルアミン、Ｎ−アルキル−ピロリドン等は、これらのＯリング等を膨潤させる。さらに、ジエチレングリコールモノメチルエーテル、エチレングリコールモノブチルエーテル等のエーテルも、これらのＯリング等を膨潤させる。
【００１５】
Ｏリング等の膨潤は、ある程度までは部品間の隙間を埋め、そのシール力を向上させる点で好ましいが、一定以上に膨潤すると、ゴムに亀裂や硬度上昇等が生じ、シール部位からのはみ出しを生じ、逆にシール力が低下してしまう。このようなゴムの変形は、燃料の液漏れを生じ、漏れた液には引火の危険性がある。上記の従来から使用されている洗浄剤は、一定以上に膨潤することから、シール力が低下し、液漏れが発生する等の可能性があった。
【００１６】
したがって、燃料噴射系に付着、堆積したデポジットを良好に除去することができ、それに加えて、Ｏリング等の膨潤を抑制することができる、燃料に添加して使用される洗浄剤の提供が望まれていた。
【課題を解決するための手段】
【００１７】
本発明者らは、鋭意検討の結果、ジエチルベンジルアミン、トリベンジルアミン、ジエチレントリアミン、１−フェニルピペラジンから選択される成分を１以上含有することで、洗浄性が良好で、かつＯリング等の膨潤もほとんどないことを見出した。本発明は、このことを見出すことによりなされたものであり、上記課題は、本発明の洗浄剤を提供することにより解決することができる。
【００１８】
すなわち、本発明によれば、燃料を供給する燃料供給手段から該燃料を噴射するノズルまでの燃料噴射系内に付着した付着物を除去するために該燃料中に添加される洗浄剤であって、ジエチルベンジルアミン、トリベンジルアミン、ジエチレントリアミン、１−フェニルピペラジンから選択される成分を１以上含有する洗浄剤が提供される。
【００１９】
洗浄剤は、燃料に対して、０．１〜３０体積％添加される。洗浄剤に含有される１以上の上記成分は、Ｏリング等の膨潤を抑制するために、洗浄剤に含まれる洗浄性を有する成分（洗浄成分）の少なくとも７０体積％含有される。なお、上記成分以外の洗浄成分としては、従来から使用されている、例えばアルキレングリコールアルキルエーテルやＮ−アルキル−ピロリドン等を含有することができる。
【発明の効果】
【００２０】
本発明の洗浄剤を提供することにより、燃料噴射系に付着、堆積したデポジットを良好に除去することができ、それに加えて、ゴム製のＯリング等の膨潤を抑制することができる。その結果、エンジン性能の低下や不均一な噴射がなくなり、ゴムの亀裂、硬度上昇、シール部位からのはみ出しをなくし、シール力の低下や液漏れもなくすことができる。また、燃料に添加して使用することができるので、燃料噴射系を取り外し、各部品に分解して、部品ごとに洗浄する必要がなく、簡単に洗浄することができる。
【図面の簡単な説明】
【００２１】
【図１】燃料噴射系の構成例を示した図。
【図２】洗浄前のインジェクタと洗浄後のインジェクタを示した図。
【図３】本発明の洗浄剤にデポジットが付着したインジェクタを浸漬させて洗浄したときの洗浄性評価結果を示した図。
【図４】本発明の洗浄剤にゴム製のＯリングを浸漬させたとき膨潤度を示した図。
【図５】ジエチルベンジルアミンとＮＭＰとを混合したものを洗浄剤とし、それを軽油に添加したときの洗浄性評価結果およびＯリングの膨潤度を示した図。
【発明を実施するための形態】
【００２２】
本発明の洗浄剤は、燃料を供給する燃料供給手段から該燃料を噴射するノズルまでの燃料噴射系内に付着した付着物を除去するために該燃料中に添加される洗浄剤である。この洗浄剤は、好ましくは車両に使用され、より好ましくはディーゼルエンジンを搭載した車両に使用される。なお、この洗浄剤は、車両以外に、建設機械、漁船、発電機、燃料を燃焼して流体を加熱する加熱炉やボイラ等に使用することも可能である。以下、ディーゼルエンジンを搭載した車両に使用する場合について説明する。
【００２３】
ディーゼルエンジンは、燃料として軽油が使用される。このため、本発明の洗浄剤は、軽油に対して所定の割合で添加される。まず、図１を参照して、ディーゼルエンジンを搭載した車両の燃料噴射系について簡単に説明する。燃料噴射系は、燃料供給手段としてのサプライポンプ１０から燃料を噴射するノズルとしてのインジェクタ１１までの燃料が通過する系をいい、燃料供給パイプ１２、コモンレール１３を含む。このため、図１に示す燃料供給方式は、コモンレール式である。
【００２４】
コモンレール１３には、圧力センサ１４が取り付けられ、圧力制御弁１５を介してリターンライン１６ａが接続されている。また、サプライポンプ１０にも、リターンライン１６ｂ、インジェクタ１１にも、リターンライン１６ｃが接続されている。ここでは、コモンレール式として説明するが、本発明の洗浄剤は、上記のユニットインジェクター式や、列型噴射ポンプ、分配型噴射ポンプ、独立型噴射ポンプを用いる燃料噴射方式にも適用できるものである。
【００２５】
図１には、燃料噴射系以外の燃料タンク１７や燃料フィルタ１８も示されている。燃料タンク１７内には、図示していないが、プレフィルタを備えていてもよい。また、図１には、一点破線で示される信号線を通して、コモンレール１３内の圧力を検出する圧力センサ１４からの信号を受け、インジェクタ１１に指示し、燃料噴射量を制御するためのコントロールユニット１９も示されている。
【００２６】
燃料としての軽油は、燃料タンク１７内に入れられ、ディーゼルエンジンの起動に伴って起動するサプライポンプ１０により燃料フィルタ１８を介して吸引される。サプライポンプ１０は、所定の圧力まで昇圧した後、燃料供給パイプ１２を介してコモンレール１３へ供給される。インジェクタ１１は、針状の先端部分を有し、燃料噴射孔を塞ぐ位置にセットされるニードルおよびソレノイドを備えていて、ソレノイドによってニードルのリフト時間を調整することにより噴射孔を通して燃料を燃焼室内へ噴射する。なお、インジェクタ１１からの燃料噴射が開始されるまで、サプライポンプ１０からの燃料は、リターンライン１６ｂを介して燃料タンク１７へ戻される。
【００２７】
燃料フィルタ１８は、燃料中に含まれる鉄系化合物、有機酸およびその塩、ごみ等の捕捉可能な大きさの異物を分離除去する。サプライポンプ１０は、燃料タンク１７内の燃料を吸引し、例えば２００ＭＰａまで昇圧して燃料供給パイプ１２へ吐出する。サプライポンプ１０、インジェクタ１１、燃料フィルタ１８にゴム製のＯリングや樹脂製品が設けられる。このゴム製のＯリングは、燃料漏れを防止するものである。
【００２８】
コモンレール１３へ供給された燃料は、インジェクタ１１から噴射されるまで蓄積されるが、圧力センサ１４によりコモンレール１３内の圧力が検出され、コントロールユニット１９からの指示によりサプライポンプ１０の燃料吐出量を制御する。これにより、コモンレール１３内の圧力が制御される。インジェクタ１１は、燃料を燃料室内へ霧状に噴射し、自己発火させる。
【００２９】
上述したように、サプライポンプ１０内では、何らかの要因で外部からエアーが混入し、そのエアーが圧縮されて局所高温となり、その高温化に伴って未燃焼カーボンが発生し、インジェクタ１１内部に付着、堆積する。また、燃料中には、上述した低温流動性向上剤や潤滑性向上剤といった各種添加剤が添加される。各種添加剤は、高温になった燃料等により析出して、また、熱分解してインジェクタ１１内部に付着、堆積する。さらに、燃料中の鉄系化合物等も付着、堆積する。これらがデポジットとなり、ニードルの動きを妨げ、インジェクタ１１の適正な燃料噴射を阻害する。これにより、エンジン性能が低下する。
【００３０】
燃料は、インジェクタ１１から高圧にて噴霧することで微粒化され、その微粒化により自己発火を可能にする。このため、サプライポンプ１０で昇圧する必要があり、その昇圧に伴って燃料が高温となる。したがって、デポジットの発生は、回避することができず、発生したデポジットを除去することが必要とされる。
【００３１】
デポジットは、徐々に付着し、堆積していき、また、エアーによって酸化され、硬くなっていく。これを除去するために、サプライポンプ１０やコモンレール１３等を取り外し、各部品に分解し、各部品を洗浄剤に浸漬させることが望ましい。しかしながら、これらを取り外し、各部品に分解するのは手間がかかり、また、洗浄後に組み立てて取り付けなければならない。そこで、本発明では、このような手間がかからない燃料に添加して使用する洗浄剤を提供する。従来の燃料に添加して使用する洗浄剤は、燃料に対して数１０重量％も添加しなければ充分な洗浄効果が得られないが、本発明の新規な洗浄剤は、少量でも充分な洗浄効果を有するため、多量の添加に伴う、上述した走行性能に支障を来し、燃焼排ガス中のＮＯｘが増加するといった問題は生じない。
【００３２】
本発明の新規な洗浄剤は、高い洗浄性を付与するために、主成分として、ジエチルベンジルアミン（Ｃ１１Ｈ１７Ｎ）、トリベンジルアミン（Ｃ２１Ｈ２１Ｎ）、ジエチレントリアミン（Ｃ４Ｈ１３Ｎ３）、１−フェニルピペラジン（Ｃ１０Ｈ１４Ｎ２）から選択される成分を１以上含有する。これらの成分は、洗浄性が高いこともさることながら、引火点が高いことから取扱いが比較的容易で、販売上問題となる化学物質管理促進法や毒物劇物取締法に非該当である点で望ましい成分である。下記式１〜４にそれらの化学式を順に示す。
【００３３】
【化１】
0005545684.tif 000002
【００３４】
【化２】
0005545684.tif 000003
【００３５】
【化３】
0005545684.tif 000004
【００３６】
【化４】
0005545684.tif 000005
【００３７】
ちなみに、引火点は、上記式１で示されるジエチルベンジルアミンが７７℃、上記式２で示されるトリベンジルアミンが１２２℃、上記式３で示されるジエチレントリアミンが１０２℃、上記式４で示される１−フェニルピペラジンが１４０℃であり、比較的高温である。
【００３８】
この洗浄剤は、燃料に対して、０．１〜３０体積％添加することができる。なお、３０体積％以上であってもよいが、価格および洗浄効果を考慮し、上記範囲で充分である。このように少量で充分な洗浄効果を有することから、走行性能に支障を来すことはなく、排ガス中のＮＯｘが増加するという問題も解決することができる。洗浄剤に含有される１以上の上記成分は、その洗浄剤に含まれる洗浄成分のうち、少なくとも７０体積％含有される。これは、ゴム製のＯリング等の一定以上の膨潤を抑制するためである。
【００３９】
本発明の洗浄剤は、洗浄成分のすべてを、上記のジエチルベンジルアミン、トリベンジルアミン、ジエチレントリアミン、１−フェニルピペラジンから選択される１以上の成分とすることもできるが、その他の洗浄成分を含有していてもよく、従来から使用されている、例えば、アルキレングリコールアルキルエーテルやＮ−アルキル−ピロリドン等を含有することができる。他の洗浄成分の一例として、ジエチレングリコールモノメチルエーテル、エチレングリコールモノブチルエーテル、Ｎ−メチル−２−ピロリドン（ＮＭＰ）等を挙げることができる。これは一例であるので、これ以外の洗浄成分を用いることも可能である。
【００４０】
なお、この洗浄剤には、燃料に一般的に添加される洗浄とは関係のない添加剤成分、例えば、潤滑性向上剤、低温流動性向上剤、消泡剤、セタン価向上剤、清浄分散剤に含有される成分を、洗浄性に影響を及ぼさない範囲で含有していてもよい。これらの成分としては、潤滑性向上のための長鎖脂肪酸のモノエステル、長鎖二塩基酸、脂肪酸アミド等を、低温流動性向上のためのエチレン−酢酸ビニル共重合体、多価アルコールと高級脂肪酸のエステル等を挙げることができる。また、セタン価向上のためのアルキルナイトレート類等を、清浄分散作用のためのポリイソブテン類等を挙げることができる。本発明の洗浄剤は、これらの添加剤成分に限定されるものではなく、これら以外の添加剤成分を含有していてもよい。
【００４１】
本発明の洗浄剤は、燃料に対して上記範囲内の体積％となるように、燃料タンク１７の満タン時の燃料量から計算された所定容量のボトルに入れられ、燃料タンク１７の満タン時に燃料タンク１７内にそのボトルから添加して使用することができる。一例では、燃料１００リットルに対し、４００ｃｃの洗浄剤を添加することができる。
【００４２】
本発明の新規な洗浄剤の洗浄性を評価するために、また、ゴム製のＯリングの膨潤度を評価するために以下の試験を行った。洗浄性を評価するために、１０万ｋｍ以上走行した４ｔトラックから取り外した黒色のデポジットが付着したインジェクタ１１を、シャープマニファクチャリングシステム株式会社製の超音波洗浄装置（UT-105S）内に入れた洗浄剤に浸漬させ、３０分間超音波照射を行い、インジェクタ１１に付着した付着物の様子を目視にて評価した。
【００４３】
膨潤度を評価するために、ゴム製のＯリングとして、耐熱性、耐油性、耐薬品性を有し、自動車用途を中心に幅広く使用されているフッ素ゴム製のＯリングを用いた。このＯリングを洗浄液に浸漬して１日および５日経過後の重量変化を計測し、膨潤後の重量を膨潤前の重量で除して膨潤度を計算した。
【００４４】
一般に、１．５までの膨潤度は設計上考慮されており、隙間を埋め、シール力が向上するが、それを超える膨潤度は亀裂を生じ、また、硬度上昇し、シール部位から燃料漏れを生じる。膨潤度は日数が経過するとその増加する割合が小さくなっていき、５日経過すると、それ以上あまり増加しなくなるので、５日経過しても１．５以下の膨潤度であるか否かにより評価を行った。
【００４５】
実施例１では、洗浄剤に、本発明の洗浄剤に含有すべき洗浄成分として選択されるジエチルベンジルアミンを使用した。実施例２では、洗浄剤に、本発明の洗浄剤に含有すべき洗浄成分として選択されるトリベンジルアミンを使用した。なお、トリベンジルアミンは、常温で固体であるため、軽油を溶媒として使用し、軽油５ｍｌに０．５ｇのトリベンジルアミンを溶解したものを使用した。実施例３では、洗浄剤に、本発明の洗浄剤に含有すべき洗浄成分として選択されるジエチレントリアミンを使用した。実施例４では、洗浄剤に、本発明の洗浄剤に含有すべき洗浄成分として選択される１−フェニルピペラジンを使用した。
【００４６】
実施例５では、洗浄剤に、９０体積％のジエチルベンジルアミンと、１０体積％のＮＭＰを混合したものを使用した。実施例６では、洗浄剤に、７０体積％のジエチルベンジルアミンと、３０体積％のＮＭＰを混合したものを使用した。
【００４７】
本発明の洗浄剤と洗浄性を比較するために、以下のものを洗浄剤として使用して同様の試験を行った。比較例１では、洗浄剤ではなく、軽油を使用した。これは、軽油には洗浄効果がないことを確認するためである。比較例２では、洗浄剤に、従来から使用されている洗浄成分としてのＮＭＰを使用した。比較例３では、従来から使用されている洗浄成分としてのジエチレングリコールモノメチルエーテルを使用した。比較例４では、洗浄剤に、５０体積％のジエチルベンジルアミンと、５０体積％のＮＭＰを混合したものを使用した。これは、本発明の洗浄剤に含有すべき洗浄成分として選択されるジエチルベンジルアミン溶液を含有するものであるが、その含有量による洗浄性および膨潤度の影響を確認するためである。
【００４８】
洗浄前のインジェクタ１１と、洗浄後のインジェクタ１１を撮影した写真を図２に示す。図２（ａ）は、洗浄前のインジェクタ１１を撮影した写真である。洗浄前であるため、全体的に黒色のデポジットが付着している。図２（ｂ）は、上記比較例３のジエチレングリコールモノメチルエーテルで洗浄した後のインジェクタ１１を撮影した写真である。全体的にデポジットが残っており、特に、先端部に多くのデポジットが残っている。
【００４９】
図２（ｃ）は、上記比較例２のＮＭＰで洗浄した後のインジェクタ１１を撮影した写真である。大部分のデポジットが除去されているが、先端部にはまだデポジットが残っている。図２（ｄ）は、上記実施例１のジエチルベンジルアミンで洗浄した後のインジェクタ１１を撮影した写真である。インジェクタ１１全体のデポジットが完全に除去され、新品同様となっている。
【００５０】
目視により洗浄性を評価した結果を図３に示す。図２（ｄ）に示すように黒色のデポジットが完全に除去されたものを二重丸で示し、図２（ｃ）に示すように約８割以上でほとんど除去できているものを丸で示し、図２（ｂ）に示すように約２割以上約８割未満除去できているものを三角で示し、約２割未満でほとんど除去できていないものをバツで示している。実施例１〜６はいずれも二重丸で示され、良好な洗浄性を示すことが確認された。
【００５１】
その一方、比較例１の洗浄剤でない軽油はバツで示され、全く除去されないことが確認された。また、比較例２および３はそれぞれ丸、三角で示されるように、ある程度の洗浄性は示すが、その洗浄性は充分ではないことが確認された。なお、比較例４は、本発明の洗浄剤の主成分であるジエチルベンジルアミンを５０体積％含有することから、二重丸で示されるように良好な洗浄性を示すことが確認された。
【００５２】
膨潤度の結果を図４に示す。実施例１〜６はいずれも５日経過後において１．５以下であって、ほぼ１．０であることから、ゴム製のＯリングに対してほとんど影響がないことが見出された。比較例１の軽油の場合には、膨潤が全く起こらず、Ｏリングに対する影響はないが、比較例２、３の場合は、膨潤度が１．５を超え、Ｏリングに影響を与えることが見出された。このことから、本発明の洗浄剤に含有すべき成分として選択されるジエチルベンジルアミン等の洗浄成分は、良好な洗浄性を有するとともに、Ｏリングに対する膨潤の影響がなく、燃料に添加する洗浄剤として好適なものであることが見出された。それと同時に、比較例４に示すように、ジエチルベンジルアミンを５０体積％含有するのみでは、Ｏリングに影響を与えることから、本発明の洗浄剤に含有すべき成分として選択される洗浄成分は、洗浄剤に含まれる洗浄成分のうち、少なくとも７０体積％含有する必要があることが見出された。
【００５３】
実際に燃料に添加した洗浄剤を用いてインジェクタ１１の洗浄性およびＯリングの膨潤度の結果を図５に示す。燃料として軽油を用い、軽油を９０体積％とし、洗浄剤を１０体積％とし、その洗浄剤の成分のうち、ジエチルベンジルアミンとＮＭＰとの割合を変えて上記と同様にして試験を行った。ジエチルベンジルアミン／ＮＭＰの体積比を９／１、７／３、５／５のいずれにおいても、良好な洗浄性を有することが見出された。軽油に混合することにより洗浄成分が希釈されるものの、ジエチルベンジルアミンの良好な洗浄性により充分にデポジットを除去できることを見出すことができた。
【００５４】
その一方で、Ｏリングへの影響は、９／１、７／３の場合は、５日経過後であっても、膨潤度が１．５以下であったが、５／５の場合は、１日経過後に既に１．５を超えた。このことからも、ジエチルベンジルアミンは、全洗浄成分の７０体積％以上でなければならないことが見出された。なお、ＮＭＰに代えてジエチレングリコールモノメチルエーテルを用いる場合もほぼ同様の結果が得られた。
【００５５】
洗浄性および膨潤度の結果は、図５には軽油と洗浄剤との割合を上記の９／１にした場合についてのみ示したが、９９．９／０．１〜７／３の範囲、すなわち軽油に対して洗浄剤を０．１〜３０体積％添加しても良好な洗浄性および１．５以下の膨潤度が得られた。そして、膨潤度を１．５以下とするには、本発明の洗浄剤に含有すべきジエチルベンジルアミン等を全洗浄成分の７０体積％以上にする必要があった。
【００５６】
これまで本発明の洗浄剤について詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。したがって、膨潤する対象は、ゴム製のＯリングに限られるものではなく、ゴム製のパッキン等のシール材であってもよく、軽油やガソリンのほか、ナフサ、灯油、バイオ燃料等に添加して使用することも可能である。
【符号の説明】
【００５７】
１０…サプライポンプ、１１…インジェクタ、１２…燃料供給パイプ、１３…コモンレール、１４…圧力センサ、１５…圧力制御弁、１６ａ、１６ｂ、１６ｃ…リターンライン、１７…燃料タンク、１８…燃料フィルタ、１９…コントロールユニット
【図１】
0005545684.tif 000006
【図２】
0005545684.tif 000007
【図３】
0005545684.tif 000008
【図４】
0005545684.tif 000009
【図５】
0005545684.tif 000010